(57)【要約】【課題】光学記録媒体への書き込み／光学記録媒体からの読み出し用の装置内に、光検出器の半分の輝度変調での時間シフトから独立したＴＷ信号を生成可能な構成を提供する。【解決手段】光学記録媒体上のウォブルトラックに含まれるアドレス情報の回復に使用される信号の回復の間に最適な信号対雑音比が得られる構成であって、光学記録媒体から反射する光ビームを検出する少なくとも２つの検出器領域を有する検出器と、第１又は第２の検出器領域と切り替え可能な形で結合される第１の可変遅延素子と、入力が第１の可変遅延素子の出力及び遅延しない検出器領域の出力に接続され出力がＴＷ信号を生成する減算手段と、出力信号が第１の可変遅延素子を自動的に最適値に設定するのに使用され第１の可変遅延素子と第１又は第２の検出器領域との間の接続を形成する検出手段とを備えた構成であり、第１の可変遅延素子が、読み出し／書き込み時に調整可能となっている。【選択図】図３
2007533057.tif 000002
【特許請求の範囲】
【請求項１】
光学記録媒体から反射した光ビームを検出するための少なくとも２つの検出器領域を有する検出器と、
第１の検出器領域又は第２の検出器領域と切り替え可能な形で結合される第１の可変遅延素子と、
入力が前記第１の可変遅延素子の出力及び遅延しない検出器領域の出力に接続されており、出力がトラックウォブル信号（ＴＷ）を生成する減算手段と、
出力信号が前記第１の可変遅延素子を自動的に最適値に設定するために使用され、前記第１の可変遅延素子と前記第１の検出器領域又は前記第２の検出器領域との間の接続を形成する検出手段とを備えており、
前記第１の可変遅延素子が、前記光学記録媒体からの読み出し時及び／又は前記光学記録媒体への書き込み時に、調整可能となっていることを特徴とするトラックウォブル信号を得るための構成。
【請求項２】
第２の遅延素子を有しており、
前記第１の可変遅延素子が前記第１の検出器領域に結合されていて、前記第２の遅延素子が前記第２の検出器領域に結合されており、
前記減算手段の入力が、前記第１の可変遅延素子の出力及び前記第２の遅延素子の出力に接続されており、
前記検出手段からの出力信号が、前記第１の可変遅延素子を自動的に最適値に設定するために使用されることを特徴とする請求項１に記載の構成。
【請求項３】
前記第２の遅延素子が可変であり、前記検出手段からの出力信号が、前記第１の可変遅延素子及び前記第２の可変遅延素子を自動的に最適値に設定するために使用され、該第１の可変遅延素子及び該第２の可変遅延素子が、前記光学記録媒体からの読み出し時及び／又は前記光学記録媒体への書き込み時に、互いに独立して調整可能となっていることを特徴とする請求項２に記載の構成。
【請求項４】
前記検出手段が位相検出器であることを特徴とする請求項１から３のいずれか１項に記載の構成。
【請求項５】
前記位相検出器が、前記第１の検出器領域からの遅延しない出力信号と前記第２の検出器領域からの遅延しない出力信号との間の時間差を決定することを特徴とする請求項４に記載の構成。
【請求項６】
前記位相検出器が、前記第１の検出器領域からの遅延出力信号と前記第２の検出器領域からの遅延出力信号との間の時間差を決定することを特徴とする請求項４に記載の構成。
【請求項７】
レギュレータが備えられており、該レギュレータの入力に前記検出手段からの出力信号が加えられ、該レギュレータが、前記第１の可変遅延素子の遅延及び／又は前記第２の可変遅延素子の遅延を制御することを特徴とする請求項１から６のいずれか１項に記載の構成。
【請求項８】
前記レギュレータが、積算器を備えていることを特徴とする請求項７に記載の構成。
【請求項９】
前記レギュレータからの出力信号が、数学符号検出器及び絶対値装置によって数学的な符号と大きさとに分けられることを特徴とする請求項７に記載の構成。
【請求項１０】
請求項１から９のいずれか１項に記載のトラックウォブル信号を得るための構成を有することを特徴とする、光学記録媒体から読み出すための及び／又は光学記録媒体に書き込むための装置。
【発明の詳細な説明】
【技術分野】
【０００１】
本発明は、それを用いることによって、光学記録媒体上のウォブルトラック（wobbled track）に含まれるアドレス情報の回復のために使用される信号の回復の間に、可能な限り最適な信号対雑音比が得られ、その手段によって、光学記録媒体に保存されたアドレス情報を、可能な限りエラーが少ない状態で読み出すことが可能である構成に関する。
【背景技術】
【０００２】
図１は、光学記録媒体のウォブルトラックに含まれるアドレス情報を復号するための復号ユニットによって使用される信号（ＴＷ）を得るための典型的な構成を示している。その信号を得るための土台となるのは、光検出器からの信号を結びつけることである。この場合、光学記録媒体に当たる走査ビームがいわゆるプッシュプル効果を引き起こすという特徴が利用される。このプッシュプル効果は、回折効果がトラックのエッジで形成されるという原理に基づいており、それにより垂直ビーム（いわゆるゼロ次）だけが反射記録層から光検出器の方向に反射するのではなく、加えて高次ビームも反射するが、この高次ビームは記録層の領域に向けて正しい角度で正確には反射しない。この場合、対物レンズはゼロ次及び±１次反射ビームだけを集め、それらを少なくとも２つの領域に細分される光検出器上に結像させる。この場合、異なる強度の相殺的干渉が、トラック位置に依存しながら、ゼロ次及び±１次間の重複領域に形成され、これが、トラッキングエラー信号の形で評価可能となる。このことから、このように得られたトラッキングエラー信号は、プッシュプルトラッキングエラーと呼ばれる。このトラッキングエラー信号の高周波成分は、この場合、ウォブルトラックの偏差を表す。
【０００３】
プッシュプル方式を使用して信号を得るために、光検出器からの出力信号は、図１に示されるように連結されなければならない。光検出器は、プッシュプル信号に加えて、同時に焦点エラー信号を得ることができるように、通常４つの領域に細分される。プッシュプル効果を使用してトラッキングエラー信号を得るためには、光検出器を右手半分と左手半分に細分して、これらの二つの検出器の半分からの出力信号を互いから差し引くことで実際には十分である。４象限検出器の場合、これはロジックリング（Ａ＋Ｄ）−（Ｂ＋Ｃ）を形成することによって行われる。このようにして形成された出力信号の低周波成分は、その後、トラッキングエラー信号としてトラッキングレギュレータに供給可能となる。このトラキングレギュレータによって、走査ビームが、所定のトラックのトラック中心のできるだけ近くに確実に移動する。
【０００４】
一般に、読み出し又は書き込みに適したディスク形状の光学記録媒体の場合、あらかじめ成形されるトラックは、交互配置されたらせん又は同心円を表すように構成される。特に、書き込みに適した光学記録媒体の場合、媒体上の特定の位置を見つけるために、あらかじめ成形されるトラックは、さらに特定の形状に蛇行（wobble）させられる。これは、トラックが、ほぼ直線ではなく、曲がりくねった線に成形されることを意味する。この場合、アドレス情報は、これらの曲がりくねった線形状に含まれ、この光学記録媒体上の特定の位置の識別のために使用される。この場合、様々な方法、例えば、周波数変調、ＦＳＫ又は位相変調が、符号化のために使用される。さらに、ウォブル信号（トラックウォブル＝ＴＷ）は、回転速度情報のために、さらには書き込みデータ転送速度の事前設定のためにも使用され得る。
【０００５】
通常、このトラックウォブル（track wobbling）の変調範囲は、データ信号のトラッキング制御及び読み出し品質への著しい影響を回避するために、小さく保たれる。従って、変調範囲はトラック間隔の数パーセントのオーダーに保たれる。さらに、変調周波数は、通常トラッキングレギュレータの高域遮断周波数を越えるが、データ信号の最低信号周波数を下回る周波数帯域に維持される。データ信号は、いわゆるピット（あらかじめ成形された媒体）上の又は書き込みが可能な媒体（相変化）の場合の異なる反射強度を有する領域上の輝度のコントラストによって形成される。データ信号は通常、光検知器領域の合計Ａ＋Ｂ＋Ｃ＋Ｄを形成することによって得られる。
【０００６】
トラックの小さい変調範囲のために、そこから得られるウォブル信号（ＴＷ）の信号対雑音比は、比較的低い。一方で、信頼できる読み出し及び書き込みを可能にするために、符号化されたアドレス情報及び基本周波数は、確実に復号され、復元されるように意図されている。
【０００７】
従来技術によると、信号ＴＷは、光学記録媒体上のウォブルトラックに含まれるアドレス情報を復号するために又は書き込みクロックを形成するために使用される復号ユニット及び／又はクロック生成ユニットに供給される。信号ＴＷは干渉成分を有するが、この干渉成分は、好ましくは、図１に示されるのと同様に、復号ユニット及び／又はクロック生成ユニット（ＴＷＦ）に供給される前に、適切なフィルタによってそこから取り除かれる。
【０００８】
一方で、ディスクからの情報内容を再生するデータ信号（ＨＦ）は、光検出器からの出力信号の加算によって形成される。光検出器信号の加算による検出を可能にするために、情報は、明るさ／暗さのコントラストを書き込むことによって、又はいわゆるピットを光学記録媒体上にあらかじめ成形することによって記録される。
【０００９】
走査ビームがあらかじめ成形されたトラックの中心をたどる場合、その後走査ビームは、理想的な場合、円形の光点が光検出器上に結像し、すでに述べられたプッシュプル効果に起因する干渉がその側面で観察できるように、光学記録媒体の領域上で反射する。この光点全体の強度は、走査ビームにより照射される領域の輝度のコントラスト（データ信号）によって変調される。
【００１０】
データ信号は輝度コントラストを用いて記録されているので、光点の輝度は記録層上の反射に従って変調される。理想的な場合、これが、２つの検出器の半分に同期させられる。トラッキングエラー信号及びそこから生じる信号ＴＷは、２つの検出器の半分の間の差異に由来するので、輝度のコントラストに起因する信号成分は、２つの検出器の半分上における強度の変調の振幅及び位相が同一であるという条件の下で、この減算処理の間に相殺される。
【００１１】
しかしながら、検出器上の走査ビームの結像が理想的な軸対称ではない場合、その後、ＨＦの寄与分がシークされた（sought）信号成分上に重ねられ、それがウォブルトラックを再生する。これは、ウォブルトラックに起因する信号成分が十分に評価されないことを意味し、それにより、アドレス評価においてエラーが発生し得る。
【００１２】
光検出器の非対称な照射は、２つの実質的効果を有する。第１の効果は、輝度のコントラストによって引き起こされる強度の変調が、検出器の半分Ａ＋Ｄ及びＢ＋Ｃにあらゆる点で等しく分配されないことである。これは、検出器の半分Ａ＋Ｄ及びＢ＋Ｃからの輝度の変調によって引き起こされる信号成分が、異なる強度を有しており、減算処理の間に互いに相殺しないことを意味する。これは、２つの検出器の半分に対する計算の前に、ゲインをＴＷ信号に適合させることによって是正され得る。これは、図２に示されている。
【００１３】
しかしながら、光検出器の非対称照射の更なる効果は、検出器の半分上の不均衡な輝度の変調に加えて、検出器の半分間での輝度の変調において発生する時間のシフトである。この輝度の変調の時間シフトは、例えば、走査ビームがトラックオフセットを伴うトラックを走査した結果として、又は光学スキャナの調整公差によって光点が記録媒体上で変形した結果として発生する。
【００１４】
図２に示されるように、重み付けられたゲインを用いた減算によって検出器の半分からの出力信号を計算することによっては、こうした時間シフトが存在するときに互いに相殺する輝度の変調に起因する信号成分はもたらされない。
【００１５】
特許文献１は、トラッキングエラー信号ＴＥの使用前に、遅延素子τＡからτＤまでが自動的に調整されることを可能とする構成を開示している。この場合、その目的は後に生成されるトラッキングエラー信号がいかなるオフセットをも有しないように、遅延素子を用いて個々の検出器信号間の任意の平均時間シフトを補正することである。調整処理は、トラッキングエラー信号を閉じられた制御ループ内で使用する前に実行される。調整処理が完了するとすぐに、遅延素子の設定が停止し、その後、制御処理がこれらの定値を使用して作動する。その後、トラッキングエラー信号ＴＥが、タイミングが補正された検出器信号の位相角から得られる。
【００１６】
【特許文献１】国際公開第９８／０１８５５号パンフレット
【発明の開示】
【発明が解決しようとする課題】
【００１７】
本発明の１つの目的は、光学記録媒体に書き込むための及び／又は光学記録媒体から読み出すための装置内に、光検出器の半分の輝度変調における時間シフトから独立したＴＷ信号を生成可能とする構成を提供することである。
【００１８】
コントラスト依存成分が、それらの変化する光の振幅が２つの光検出器の半分の間で互いに対して時間的にシフトするときに、互いに相殺しないという前提に基づき、減算処理前の２つの光検出器の半分の２つの出力信号を計算する前に、先行する信号を時間的にシフトさせることによって改良は達成される。
【００１９】
本発明の更なる目的は、光学記録媒体に書き込むための又は光学記録媒体から読み出すための装置内に、干渉輝度コントラスト成分／信号成分が減算処理の間に可能な限り十分に互いに相殺するように、１つ又はそれ以上の遅延素子の遅延を自動的に設定する構成を提供することである。
【課題を解決するための手段】
【００２０】
トラックウォブル信号を得るためであって上記目的を達成する、本発明による構成は、
光学記録媒体から反射した光ビームを検出するための少なくとも２つの検出器領域を有する検出器と、
第１又は第２の検出器領域と切り替え可能な形で結合される第１の可変遅延素子と、
入力が第１の可変遅延素子の出力と遅延しない検出器領域の出力とに接続されており、出力がトラックウォブル信号（ＴＷ）を生成する減算手段と、
出力信号が、第１の可変遅延素子を自動的に最適値に設定するために使用され、第１の可変遅延素子と第１又は第２の検出器領域との間の接続を形成する検出手段とを備えており、
その際、第１の可変遅延素子が、光学記録媒体からの読み出し時及び／又は光学記録媒体への書き込み時に調整可能となっている。
【００２１】
本発明は、信号成分間の時間シフトがゼロになる、すなわち信号成分が互いに同期するという前提条件に従い、ＨＦ信号成分が、２つの検出器の半分の間において変化する光の変調にできるだけ十分に基づくことによって互いに相殺するという目的に基づいている。
【発明を実施するための最良の形態】
【００２２】
本発明は、理解を助けるために、図１から図１２に関連して、以下の文章において説明されている。
【００２３】
図３の第１の例示的な実施形態は、４つの感光領域を有する光検出器を使用する最小構成を示しており、その際、干渉のない信号ＴＷを生成するために遅延素子が使用される。第一に、４つの光検出器信号が増幅され、２つの信号要素が加算（Ａ＋Ｄ）及び（Ｂ＋Ｃ）によって生成され、それぞれの光検出器の半分上の変調を再生する。それに続く減算処理が実行される前に、信号の１つが可変的に調整可能な遅延ｔ２を伴う遅延素子Ｄ２を通過し、それにより出力信号が以下の関係に従って形成される。
ＴＷ´＝（Ａ＋Ｄ）−（Ｂ＋Ｃ）´
ここで、(Ｂ＋Ｃ)´はＤ２によって遅れた（Ｂ＋Ｃ）であり、以下の文章では（Ｂ＋Ｃ）Ｄ２となる。
【００２４】
Ｄ２だけ遅延させる信号の選択は、どちらの信号がより大きな時間シフトを有するがによって決定される。図３に示される例では、信号パス（Ａ＋Ｄ）における信号は、信号パス（Ｂ＋Ｃ）における信号に遅行しており、そのためこの信号パスは、スイッチを介して遅延素子Ｄ２に接続される。遅延素子Ｄ２の出力は、スイッチ及び増幅器を介して加算ポイントの負の入力に接続される。この場合、信号パス（Ａ＋Ｄ）は、第２の増幅器を介して加算ポイントの正の入力に接続される。この時間遅延は、検出器の半分上に結像したデータ信号成分が、遅延素子を用いた減算処理の前に、異なる時間シフトを持って互いにシフトできることを意味し、それにより、そのデータ信号成分は、同一の振幅を有するという条件の下で、互いに相殺する。
【００２５】
実際には、遅延ｔを最初に値ゼロに設定可能な遅延素子Ｄ２を作り出すことは不可能である。実際の遅延素子は、最小遅延時間ｔ１を有する。このため、図３は、遅延素子Ｄ２の最小遅延値と同一の遅延値を有する更なる遅延素子Ｄ１を示している。これにより、実際の遅延素子の相対遅延が、互いに対してゼロから値Δｔまでの間で設定されることが可能となる。従って、図示されたスイッチ位置においては、
ＴＷ´＝（Ａ＋Ｄ）´−（Ｂ＋Ｃ）´
である。ここで、（Ａ＋Ｄ）´は、Ｄ１によってｔ１だけ遅れた（Ａ＋Ｄ）であり、以下の文章では（Ａ＋Ｄ）Ｄ１となる。また、（Ｂ＋Ｃ）´は、Ｄ２によってｔ１＋Δｔだけ遅れた（Ｂ＋Ｃ）であり、以下の文章では（Ｂ＋Ｃ）Ｄ２となる。
【００２６】
通常、光検出器の半分からの出力信号のどれが時間的に先行するのか、さらには時間的に遅れるのかを前もって決定することは不可能である。このことは、スキャナ及び読み取られる記録媒体の特徴に左右される。従って、必要に応じて、両方の信号パスに可変遅延素子を挿入することが可能でなければならない。図３では、これが、４つのスイッチを有するスイッチ構成により達成されている。
【００２７】
多数のスイッチを回避するために、遅延素子Ｄ３及びＤ４がそれぞれ、図４に示されるように、好ましくは２つの信号パスに入れられる。第２の例示的な実施形態のための対応する信号計算は、
ＴＷ´＝（Ａ＋Ｄ）Ｄ３−（Ｂ＋Ｃ）Ｄ４
である。
【００２８】
通常、遅延素子は信号が時間的に先行する信号パスに設定される。時間的に遅れる信号の遅延は、取り得る最短値に維持される。
【００２９】
輝度モジュールとから独立した信号を得るためには、得られた出力信号（Ａ＋Ｄ）´及び（Ｂ＋Ｃ）´間で互いに対する任意の時間シフトが、遅延素子を通過した後に、もはや存在しないことが第１に重要である。ＴＷ信号の形成に対して所定の限度内で第２に重要なのが、２つの加算信号の間の絶対的な時間シフトが（Ａ＋Ｄ）´及び（Ｂ＋Ｃ）´であることである。このため、２つのパスのうちの１つに固定して設定された遅延素子Ｄ５を用いて所定の遅延ｔ５を与えることと、可変遅延素子Ｄ６を用いてｔ６だけ第２の信号を遅延させることとが、図５に示されるように可能である。これは、２つの信号（Ａ＋Ｄ）´及び（Ｂ＋Ｃ）´が、ただ１つの可変遅延素子Ｄ６を用いて、遅延していない信号（Ａ＋Ｄ）及び（Ｂ＋Ｃ）間の時間的な関係から独立して、互いに同期してシフト可能であるという利点を有する。具体的には、遅延素子Ｄ５は、例えば、固定された遅延ｔ５を有し、一方で、遅延素子Ｄ６は遅延ｔ６＝ｔ５±Δｔを有する。
【００３０】
図６に示される更なる変更態様は、２つの可変遅延素子Ｄ７及びＤ８を備えており、その遅延は、所定の初期遅延ｔ７、８に基づいて変更可能である。すなわちｔ７＝ｔ７、８±Δｔ及びｔ８＝ｔ７、８±（−Δｔ）である。値Δｔは正反対の方向で調整されるので、遅延バランスが、調整処理を簡単にする２つの信号（Ａ＋Ｄ）´及び（Ｂ＋Ｃ）´の間で都合良く見つかる。
【００３１】
上記解決策は全て、２つの信号（Ａ＋Ｄ）´及び（Ｂ＋Ｃ）´間の遅延が、互いに対して調整可能であるという共通の特徴を有する。２つの信号（Ａ＋Ｄ）´及び（Ｂ＋Ｃ）´の振幅が異なる場合、輝度変調は、図７に示されるように、ゲインバランスの調整を加えることによって、完全に抑制可能となる。以下の関係
ＴＷ´＝Ｋ＊（Ａ＋Ｄ）´−（１−ｋ）＆（Ｂ＋Ｃ）´
を使用して信号を計算することが特に有益である。ここで、（Ａ＋Ｄ）´はＤ７によって遅れた（Ａ＋Ｄ）であり、（Ｂ＋Ｃ）´はＤ８によって遅れた（Ｂ＋Ｃ）である。
【００３２】
図２でＴＷＦと注記された信号は、通常、アドレス復号ユニット及び／又はクロック生成ユニットに供給される信号ＴＷから、残留トラッキングエラー等に起因する低周波干渉といった望ましくない信号成分を取り除くためのフィルタを使用することによって得られる。説明を簡潔にするために、これらの機能ブロックは、図３以降の図面では省略されている。
【００３３】
しかしながら、光学記録媒体へ書き込むための及び／又は光学記録媒体から読み出すための装置の動作中、加熱、経時作用、その他の外乱となる変数の結果として、動作中に、光検出器上の結像の強度分布又は位置が変化する状況が発生し得る。このような状況は、具体的には、焦点制御又はトラッキング制御での残留エラーの結果として生じる。
【００３４】
この装置の製造時において、遅延がただ１回設定されるだけであるならば、遅延を、変化する変数に動的に適合させることはできない。
【００３５】
すでに述べたように、光検出器領域の出力信号の合計（Ａ＋Ｂ＋Ｃ＋Ｄ）は、ＨＦ信号を得るために使用される。この場合、ＨＦ信号の電圧は、光学記録媒体から反射される強度に比例し、従って、輝度のコントラストに依存する。対応する状況が２つの検出器の半分（Ａ＋Ｄ）及び（Ｂ＋Ｃ）に適用され、それにより、減算処理の前に、２つの信号パス（Ａ＋Ｄ）´及び（Ｂ＋Ｃ）´において、遅延が正確に設定される場合、同様に信号振幅が同一の大きさであるという前提条件の下、ＨＦ信号成分は互いに相殺する。しかしながら、２つの信号（Ａ＋Ｄ）´及び（Ｂ＋Ｃ）´の間に時間差が存在する場合、信号振幅が同一であっても、望ましくないＨＦ信号成分が、減算処理後に信号ＴＷに残存する。
【００３６】
時間差検出器又は位相検出器は、好ましくは信号（Ａ＋Ｄ）´及び（Ｂ＋Ｃ）´間の時間シフトを決定するために使用される。このような時間差検出器又は位相検出器からの出力信号は、その２つの入力信号間の時間シフトを、時間シフトに比例した値として表示する。２つの入力信号（Ａ＋Ｄ）´及び（Ｂ＋Ｃ）´間の時間差がゼロに等しい場合、出力電圧も同様にゼロに等しい。検出器からの出力電圧は、以下の文章において、時間誤差と呼ばれる。
【００３７】
２つの入力信号（Ａ＋Ｄ）´及び（Ｂ＋Ｃ）´間の時間差がゼロでない場合、時間誤差信号の大きさから、２つの信号（Ａ＋Ｄ）又は（Ｂ＋Ｃ）のうちの１つがそれぞれ別の信号（Ｂ＋Ｃ）又は（Ａ＋Ｄ）に対してその分だけ遅延すべき量を導き出すことができる。従って、この時間誤差信号は、１つ又はそれ以上の遅延素子に対する最適な設定をも自動的に作り出す制御ループを構成するのに使用可能である。好ましくは、レギュレータが、時間差検出器の出力と遅延素子の間に接続され、比例成分及び／又は好ましくは積算成分を含む。このようなレギュレータは、しばしばループフィルタとも呼ばれる。制御ループにおける積算動作の利点は、積算時定数に依存する時間に従って、遅延が常に入力信号間の時間差がゼロであるように設定されることである。
【００３８】
上述した特徴を含む第１の例示的な実施形態が図８に示されている。これは、図３に示される構成に基づいており、さらに、時間差検出器、レギュレータ、数学符号検出器及び絶対値装置を含む。時間誤差信号の数学的な符号は、可変的に設定可能な遅延素子Ｄ２による相対値Δｔ分だけ遅れることが意図されている信号を選択するためのスイッチ構成によって使用される。値Δｔの大きさは、レギュレータからの出力信号から絶対値装置によって得られる。
【００３９】
図９に示される第２の例示的な実施形態は、図４に示される構成に加え、時間差検出器、レギュレータ、数学符号検出器及び絶対値装置を有する。数学符号検出器からの出力信号は、絶対値装置からの出力信号が、その入力信号がより大きく遅延するように意図される遅延素子の遅延を制御するように、スイッチ構成のスイッチの位置を制御する。
【００４０】
第３の例示的な実施形態は、図１０に示されている。これは、以前の例示的な実施形態におけるようなスイッチ構成を必要としないという利点を有する。同様に、レギュレータからの出力信号をその数学符号と大きさとに分ける必要がない。図５に示される基本的な構成は、時間差検出器及びそれに付加されたレギュレータを有する。レギュレータからの出力信号は、遅延素子Ｄ６を直接制御し、その場合、レギュレータからの出力もまた負の値であると推測できる。２つの遅延素子の初期遅延ｔ５によって、遅延の相対値が互いに対して正又は負であるように設定できる。
【００４１】
第４の例示的な実施形態では、図１１に示されるように、遅延素子は、レギュレータからの出力信号を使用して、反対の方向に制御可能となる。レギュレータからの出力信号は、初期遅延ｔ７、８から始まって、時間差検出器により規定される時間差Δｔがゼロに等しくなるまで、遅延素子の遅延を再調整する。
【００４２】
上述の例示的な実施形態の遅延素子は、例えば、アナログ遅延素子の形式であってもよく、その遅延は、制御電圧を用いて変更することができる。時間誤差検出器からの出力信号が、例えば、レギュレータとしての積算器に接続されている場合、積算器は、信号（Ａ＋Ｄ）´及び（Ｂ＋Ｃ）´間の時間差がゼロになるまで、その出力電圧を変更する。例示として、積算器からの出力信号が第３の例示的な実施形態（図１０を参照）の遅延素子Ｄ６からの値Δｔを制御する場合、これにより、積算動作を伴う制御ループがもたらされる。
【００４３】
時間差検出器は、好ましくはエッジ制御型位相検出器の形式であって、その入力信号（Ａ＋Ｄ）´及び（Ｂ＋Ｃ）´はそれぞれ、比較器を用いて二値信号に変換されるということが、上記例示的な実施形態の全てに対して言える。このようなエッジ制御型位相検出器は、例えば、ＣＭＯＳモジュールＣＤ４０４６に組み込まれている。特に好ましいエッジ制御型位相検出器は、ＥＰ１０５８２４４に記載されている。同様に、時間差検出器の前に、好ましくは各入力信号に対する高域フィルタ又は帯域通過フィルタが設けられてもよく、それらフィルタによって、ＨＦ信号周波数帯域のみを通過させることが可能となり、入力信号からの望ましくない信号成分が除去される。
【００４４】
上述の機能ブロック（（Ａ＋Ｄ）及び（Ｂ＋Ｃ）の信号加算、信号遅延、高域フィルタ、比較器、位相検出器、及びループフィルタ／レギュレータ）は、好ましくはデジタル信号処理方法によって実行される。従って、例えば、サンプル値のクロック制御型遅延によって又は短い遅延段階を伴う適切なＦＩＲフィルタ（多相フィルタ）を使用して、遅延素子を作動させることが可能である。１つの適切な時間差検出器が、（シーケンス検出を伴うにせよ伴わないにせよ）ＤＰＤ検出器として、ＥＰ１０５８２４４に記載されている。
【００４５】
図１２は、デジタル信号処理の１つの例示的な実施形態を示している。この場合の基本的な機能は図１０のそれに対応しており、再度の説明は行わない。デジタル信号処理特有の特徴は、ＨＦ信号に対して非同期であるサンプリングクロックＣＬＫが標準的に使用されることである。アナログでの実施とは対照的に、時間差検出器又は位相検出器の機能は、好ましくは２つのタスク素子に分けられる。まず、２つの時間検出器が、先行するクロックエッジに対してデジタル化された入力信号（Ａ＋Ｄ）及び（Ｂ＋Ｃ）の１つの信号エッジがそれぞれの場合において発生する時間の間隔を決定する。それぞれ個々に構築された時間検出器において決定された２つの時間値は、その後、時間差計算器を用いて決定され、時間差誤差としてデジタルレギュレータを通過する。このレギュレータは、１つ又はそれ以上の入力信号を適切に遅延させる１つ又はそれ以上のデジタルフィルタを制御する。上述した一方のアナログの例示的な実施形態は、デジタル信号処理を使用して対応する方法によって実行可能となる。アナログ信号処理とデジタル信号処理との間の他のインターフェース及び好ましい例示的な実施形態の組み合わせもまた、本発明の適用の領域内にある。
【００４６】
本発明による方法は、ウォブルトラックアドレス情報（ＣＤ−Ｒ、ＣＤ−ＲＷ、ＭＯ→ＡＴＩＰ；ＤＶＤ＋ＲＷ→ＡＤＩＰ；ＢＤ、ＨＤ−ＤＶＤ．．．）がそこから得られる媒体、又はそのウォブル周波数が書き込みクロック（ＤＶＤ＋ＲＷ、ＤＶＤ−ＲＷ、ＢＤ、ＨＤ−ＤＶＤ．．．）を生成するために使用される媒体の場合に、特に好ましい。
【図面の簡単な説明】
【００４７】
【図１】ウォブル信号を得るための典型的な構成を示す。
【図２】ウォブル信号を生成するために、２つの検出器の半分の計算前にゲインが適用される、ウォブル信号を得るための構成を示す。
【図３】本発明の第１の例示的な実施形態を示す。
【図４】両方の信号パスに遅延素子を伴う本発明の例示的な実施形態を示す。
【図５】固定遅延素子及び可変遅延素子を伴う本発明の例示的な実施形態を示す。
【図６】所定の初期遅延によって変更可能である２つの遅延素子を伴う本発明の例示的な実形態を示す。
【図７】ゲインバランスの追加調整を伴う本発明の例示的な実施形態を示す。
【図８】遅延の自動調整を伴う本発明の例示的な実施形態を示す。
【図９】遅延の自動調整を伴う本発明の更なる例示的な実施形態を示す。
【図１０】遅延の自動調整を伴う本発明の第３の例示的な実施形態を示す。
【図１１】本発明の第１の例示的な実施形態を示す。
【図１２】本発明の第１の例示的な実施形態を示す。
【符号の説明】
【００４８】
ＣＬＫ  サンプリングクロック
Ｄ１、Ｄ２、Ｄ３、Ｄ４、Ｄ５、Ｄ６  遅延素子
ＨＦ  データ信号
ＴＥ  トラッキングエラー信号
ＴＷ  ウォブル信号
ＴＷＦ  クロック生成ユニット
【図１】
2007533057.tif 000003
【図２】
2007533057.tif 000004
【図３】
2007533057.tif 000005
【図４】
2007533057.tif 000006
【図５】
2007533057.tif 000007
【図６】
2007533057.tif 000008
【図７】
2007533057.tif 000009
【図８】
2007533057.tif 000010
【図９】
2007533057.tif 000011
【図１０】
2007533057.tif 000012
【図１１】
2007533057.tif 000013
【図１２】
2007533057.tif 000014
【国際調査報告】
2007533057.tif 000015
2007533057.tif 000016